(57)【特許請求の範囲】
【請求項１】
天板を支持する左右の支持脚の後部間に配設される後面板を、前記支持脚に対して取付けるための机における後面板取付装置であって、
前記支持脚の少なくとも左右側面いずれか一方側に、外向きに開口する凹部が上下方向に延設され、
前記後面板取付装置は、前記後面板に取付けられる支持具と、該支持具に対する固定角度を変更できる受具と、からなり、前記受具を前記凹部内における定位置に取付けることで、前記支持脚に対する前記後面板の取付け角度が決定されるとともに、
前記支持具に対する前記受具の固定角度を変更して、前記支持脚に対する前記後面板の取付け角度を他の取付け角度としても、前記後面板の少なくとも前端縁の後面側が前記凹部内に位置した状態にあることを特徴とする机における後面板取付装置。
【請求項２】
前記支持具及び前記受具のうちの一方には前記凹部内所定箇所を中心とする円弧面に沿うように外向きの第１垂直面が設けられるとともに、他方には前記第１垂直面に当接可能な第２垂直面が設けられ、これら前記第１垂直面及び前記第２垂直面のうちの一方には、複数の係合凹部もしくは係合凸部が水平方向に設けられ、他方には前記複数の係合凹部もしくは係合凸部に選択的に嵌合しうる係合凸部もしくは係合凹部が設けられている請求項１に記載の机における後面板取付装置。
【請求項３】
前記凹部の開口が、前記凹部に対して着脱自在なカバー部材により閉塞されるようになっている請求項１または２に記載の机における後面板取付装置。
【発明の詳細な説明】
【０００１】
【発明の属する技術分野】
本発明は、天板を支持する左右の支持脚の後部間に後面板が取り付けられた机において、前記支持脚に対して前記後面板を取付けるための机における後面板取付装置に係わり、特に支持脚に対する後面板の取付角度の変更に対応しうる机における後面板取付装置に関する。
【０００２】
【従来の技術】
従来、例えば図９、１０に示されるように、天板０１と、天板０１を支持する左右の支持脚０２、及び左右の支持脚０２、０２間に設けられる支持脚０３と、これら支持脚０２、０３間にそれぞれ天板０１の側辺部に沿うように設けられる後面板０４とからなる机において、コーナー角が９０度のコーナー部Ｃの下方に配設される支持脚０２、０３の後部に対して、後面板０４の左右の側端部を例えば図１０に示されるように取り付ける場合、後面板０４の端面０４ａを予め傾斜面に加工して支持脚０３の側面０３ａに当接させるとともに、コーナー角に対応して平面視略三角形状に形成された取付金具０５を介して、支持脚０３及び後面板０４の上端面にそれぞれビス０６を螺入することにより連結していた。
【０００３】
【発明が解決しようとする課題】
しかしながら、上述のように後面板０４の端面０４ａを支持脚０３の側面０３ａに当接させた状態で連結するする場合、例えば組立時において支持脚０２、０３、及び後面板０４の上端面に対するビス０６の螺入位置に微妙な誤差が生じると、端面０４ａと側面０３ａとの間に隙間が生じ、外部からの見映えが悪くなるといった問題があった。
【０００４】
また、コーナー角が１２０度、１８０度のコーナー部Ｃを有する種々の天板０１に対応して、支持脚０２、０３に対する後面板０４の取付角度を変更する場合、端面０４ａが種々の傾斜角度に切断加工された後面板０４を複数用意したり、角度に対応した種々の形状の取付金具０５を用意する必要が生じるため、部品点数が増加し、製造コストが嵩むばかりか、端面０４ａの加工精度が低いと端面０４ａと側面０３ａとの間に隙間が生じやすくなるといった問題があった。
【０００５】
本発明は、このような問題点に着目してなされたもので、支持脚に対する後面板の取付角度を変更しても、後面板を支持脚に対して見映えよく取り付け出来る机における後面板取付装置を提供することを目的とする。
【０００６】
【課題を解決するための手段】
上記課題を解決するために、本発明の机における後面板取付装置は、
天板を支持する左右の支持脚の後部間に配設される後面板を、前記支持脚に対して取付けるための机における後面板取付装置であって、
前記支持脚の少なくとも左右側面いずれか一方側に、外向きに開口する凹部が上下方向に延設され、
前記後面板取付装置は、前記後面板に取付けられる支持具と、該支持具に対する固定角度を変更できる受具と、からなり、前記受具を前記凹部内における定位置に取付けることで、前記支持脚に対する前記後面板の取付け角度が決定されるとともに、
前記支持具に対する前記受具の固定角度を変更して、前記支持脚に対する前記後面板の取付け角度を他の取付け角度としても、前記後面板の少なくとも前端縁の後面側が前記凹部内に位置した状態にあることを特徴としている。
この特徴によれば、支持脚に対して後面板を所定の取付角度にて固定している状態、さらには取付角度が変更されても、後面板の前端縁の後面側は常に凹部内に位置して凹部外に露呈することがなく、外部から見にくくなっているため、外観が損なわれることがない。
【０００７】
本発明の机における後面板取付装置は、前記支持具及び前記受具のうちの一方には前記凹部内所定箇所を中心とする円弧面に沿うように外向きの第１垂直面が設けられるとともに、他方には前記第１垂直面に当接可能な第２垂直面が設けられ、これら前記第１垂直面及び前記第２垂直面のうちの一方には、複数の係合凹部もしくは係合凸部が水平方向に設けられ、他方には前記複数の係合凹部もしくは係合凸部に選択的に嵌合しうる係合凸部もしくは係合凹部が設けられていることが好ましい。
このようにすれば、第１垂直面と第２垂直面とを任意の相対位置で当接させ係合凹部に対して係合凸部を選択的に係合すれば、後面板を支持脚に対して所定の取付角度にて確実に固定出来る。
【０００８】
本発明の机における後面板取付装置は、前記凹部の開口が、前記凹部に対して着脱自在なカバー部材により閉塞されるようになっていることが好ましい。
このようにすることで、全ての支持脚の左右両側面に予め凹部を形成しておけば、支持脚の左右側に後面板を取り付け可能となるとともに、後面板の取り付けが不要な凹部の開口をカバー体により閉塞すれば、凹部が露呈して外観が損なわれることがないので、部品点数を増加させることなく、種々の取り付け形態に対応できる。
【０００９】
【発明の実施の形態】
以下、本発明の実施例を図面に基づいて説明すると、まず図１には本発明実施例としての後面板取付装置１が示されており、２は後面板、３は、机の天板を支持する支持脚４の後部に左右方向に開口する凹部５を形成するとともに、支持脚４の側面を構成するパネル７の端面を閉塞する骨材を示している。
【００１０】
後面板取付装置１は、後面板２に形成された凹部２ａ内に一部が入り込むように固着される支持金具８と、骨材３の凹部５内に固設される受金具９とから構成される。支持金具８は、特に図１、図２（ａ）に示されるように、支持金具８を後面板２の前面２ｂに取り付けるためのビス６挿通用の孔部１１を有する上下の取付片１０、１０’と、これら上下の取付片１０、１０’を連結するとともに、前面１２ａが、図２（ｂ）に示されるように、点Ｐを中心とする半径Ｒ２の円弧に沿うように形成された曲面状の当接片１２とから構成される。
【００１１】
当接片１２の前面１２ａにおける上下方向略中央部は、図２（ｂ）に示されるように前方に突設されており、この突設された前面１２ｂには、後述する受金具９の係合片が選択的に係合可能な複数の係合溝１３ａ〜１３ｃが形成されている。なお、１５は受金具９取付用のボルト１４の先端部が螺入可能な孔部であり、１６は支持金具８の後面板２への取付時における支持金具８の長手方向軸心周りの回転を規制する支持片である。
【００１２】
受金具９は、図３（ａ）、（ｂ）に示されるように、当接片１２と同等の上下長さを有し、内面１７ａが支持金具８の前面１２ａと同等の曲率を有する（半径Ｒ２＝Ｒ４）曲面状に形成された受片１７からなる。受片１７の上下部にはボルト１４が挿通可能な横長の長孔２１が形成されるとともに、上下方向の略中央位置には、支持金具８の前面１２ｂと同等の曲率を有する（半径Ｒ１＝Ｒ３）曲面状の内面１７ｂが形成されており、この内面１７ｂ所定箇所には、係合溝１３ａ〜１３ｃ内に選択的に係合しうる係合片１８が内方に向かって突設されている。
【００１３】
さらに受片１７の側端部には、骨材３の凹部５内面所定箇所に形成された係止穴１９（図１、６参照）に上方からの係止が可能なフック部２０が形成されており、支持金具９を凹部５内に簡単に係止することが出来るようになっている。
【００１４】
次に、本実施例における後面板取付装置１を用いた支持脚４への後面板２の取り付け方法を図面に基づいて説明すると、例えば支持脚４に対する取付角度を９０度（θ＝９０度）として後面板２を取り付ける場合、まず図１に示されるように支持金具８を後面板２の前面２ｂにビス６をもって固着する。そして図４に示されるように、係合片１８が係合溝１３ａ内に係合されるように、固着された支持金具８の当接片１２に受金具９を前方から装着する。係合と同時に、当接片１２の前面１２ａの一部と受片１７の内面１７ａの一部、及び前面１２ｂの一部と内面１７ｂの一部とがそれぞれ当接される。
【００１５】
この状態で受片１７の長穴２１にボルト１４を挿通して先端部を支持金具８の孔部１５内に螺入することにより、受金具９が支持金具８に対して所定角度にて固定される。次いでフック部２０を、図１に示されるように凹部５内の係止穴１９に挿入して係止させることにより、後面板２を支持脚４に対して所定の取付角度にて取り付けることが出来る（図５、６参照）。
【００１６】
また、支持脚４に対する後面板２の取付角度を変更する場合、ボルト１４の先端を孔部１５から逸脱することなく、一部が孔部１５内に螺入された状態を保持しながらボルト１４を緩め、この状態で図４中２点鎖線で示されるように受金具９を移動させ、係合片１８を係合溝１３ｂ、もしくは１３ｃに係合させる。この時、受金具９は長穴２１を介してボルト１４により水平方向への回動が支持されるため、容易に係合位置を変更することが出来る。
【００１７】
そして図７、８に示されるように、所望の取付角度にて受金具９を支持金具８に固定し、フック部２０を係止穴１９に係止させることにより、支持脚４に対して後面板２を所定角度（θ＝４５度、３０度）で取り付けることが出来る。また、図８に示されるように、後面板２の取付が不要な側の凹部５には、横断面略コ字状のカバー部材２２を嵌合させることにより、凹部５が外部に露出することなく外観が向上する。
【００１８】
また、このように構成された後面板取付装置１にあっては、図３（ａ）、（ｂ）に示されるように、受片１７の内面１７ａ、内面１７ｂの曲面を構成する円弧の中心点Ｐは、図５、及び図７、８に示されるように受金具９を凹部５内に取り付けた状態において、凹部５の側面を構成する側板５ａの先端部近傍に位置するように形成されており、これら内面１７ａ、内面１７ｂと同曲率面に形成された当接片１２の前面１２ａ、前面１２ｂを当接させれば、凹部５内において後面板２の前端縁の後面側が点Ｐ近傍に位置するようになっている。すなわち、後面板２の前端縁の後面側は凹部５内に位置し、外部に露呈されることがない。
【００１９】
また、当接位置を水平方向にずらして後面板２の支持脚４に対する取付角度を変更しても、後面板２の向きは常に点Ｐを中心に回転され、移動することがないので、後面板２の前端縁の後面側が角度変更により凹部５外に露呈することはなく、凹部５内に位置するため、外観が損なわれることがない。
【００２０】
以上、本発明の実施例を図面により説明してきたが、具体的な構成はこれら実施例に限られるものではなく、本発明の要旨を逸脱しない範囲における変更や追加があっても本発明に含まれる。
【００２１】
【発明の効果】
本発明は以下の効果を奏する。
【００２２】
（ａ）請求項１項の発明によれば、支持脚に対して後面板を所定の取付角度にて固定している状態、さらには取付角度が変更されても、後面板の前端縁の後面側は常に凹部内に位置して凹部外に露呈することがなく、外部から見にくくなっているため、外観が損なわれることがない。
【００２３】
（ｂ）請求項２項の発明によれば、第１垂直面と第２垂直面とを任意の相対位置で当接させ係合凹部に対して係合凸部を選択的に係合すれば、後面板を支持脚に対して所定の取付角度にて確実に固定出来る。
【００２４】
（ｃ）請求項３項の発明によれば、全ての支持脚の左右両側面に予め凹部を形成しておけば、支持脚の左右側に後面板を取り付け可能となるとともに、後面板の取り付けが不要な凹部の開口をカバー体により閉塞すれば、凹部が露呈して外観が損なわれることがないので、部品点数を増加させることなく、種々の取り付け形態に対応できる。
【００２５】
【図面の簡単な説明】
【図１】本発明の第１実施例としての後面板取付装置の取付状態を示す斜視図である。
【図２】（ａ）は支持金具を示す正面図であり、（ｂ）は（ａ）のＡ−Ａ断面図である。
【図３】（ａ）は受金具を示す正面図であり、（ｂ）は（ａ）のＢ−Ｂ断面図である。
【図４】支持金具と受金具との係合状態を示す断面図である。
【図５】支持脚と後面板との取付状態を示す断面図である。
【図６】図５のＣ−Ｃ断面図である。
【図７】支持脚と後面板との取付状態を示す断面図である。
【図８】同じく支持脚と後面板との取付状態を示す断面図である。
【図９】従来の支持脚と後面板との取付方法が適用された机を示す斜視図である。
【図１０】図９の要部断面図である。
【符号の説明】
１            後面板取付装置
２            後面板
２ａ          凹部
２ｂ          前面
３            骨材
４            支持脚
５            凹部
５ａ          側板
６            ビス
７            パネル
８            支持金具
９            受金具
１０、１０’    取付片
１１            孔部
１２            当接片
１２ａ、１２ｂ  前面
１３ａ〜１３ｃ  係合溝
１４            ボルト
１５            孔部
１６            支持片
１７            受片
１７ａ、１７ｂ  内面
１８            係合片
１９            係止穴
２０            フック部
２１            長穴
２２            カバー部材
【図１】
0004034445.tif 000002
【図２】
0004034445.tif 000003
【図３】
0004034445.tif 000004
【図４】
0004034445.tif 000005
【図５】
0004034445.tif 000006
【図６】
0004034445.tif 000007
【図７】
0004034445.tif 000008
【図８】
0004034445.tif 000009
【図９】
0004034445.tif 000010
【図１０】
0004034445.tif 000011